(57)【要約】【課題】  従来の表示装置では、消費電力が大きく、色の見え方が昼夜で変動してしまうという課題があった。【解決手段】  平面状に配設された異なる波長の光を出力する第１の赤色ＬＥＤおよび第２の赤色ＬＥＤによって表示を行うにあたり、昼夜の切り替えを示す切替データを取得し、表示する内容を示す表示データを取得し、上記切替データに基づいて、上記第１の赤色ＬＥＤおよび第２の赤色ＬＥＤを点灯させる第１の状態と、上記第１の赤色ＬＥＤを点灯させる第２の状態とを切り替えるとともに、上記表示データに基づいて上記第１の赤色ＬＥＤおよび第２の赤色ＬＥＤを点灯させる。【選択図】  図４
2007010867.tif 000002
【特許請求の範囲】
【請求項１】
平面状に配設された複数のＬＥＤによって表示を行う表示装置であって、
異なる波長の光を出力する第１の赤色ＬＥＤおよび第２の赤色ＬＥＤを備えた表示手段と、
昼夜の切り替えを示す切替データを取得する切替データ取得手段と、
上記表示手段に表示する内容を示す表示データを取得する表示データ取得手段と、
上記切替データに基づいて、上記第１の赤色ＬＥＤおよび第２の赤色ＬＥＤを点灯させる第１の状態と、上記第１の赤色ＬＥＤを点灯させる第２の状態とを切り替えるとともに、上記表示データに基づいて上記表示手段におけるＬＥＤを点灯させるＬＥＤ点灯手段とを具備することを特徴とする表示装置。
【請求項２】
上記ＬＥＤ点灯手段は、上記切替データに基づいて昼間に上記第１の状態とし、夜間に上記第２の状態とすることを特徴とする請求項１に記載の表示装置。
【請求項３】
上記第１の赤色ＬＥＤと第２の赤色ＬＥＤとは、上記第１の状態を昼間に観察した場合の色と上記第２の状態を夜間に観察した場合の色とが略同一となるような赤色ＬＥＤであることを特徴とする上記請求項１または請求項２のいずれかに記載の表示装置。
【請求項４】
上記第１の赤色ＬＥＤの夜間における主波長がａ、昼間における主波長がＡであり、上記第２の赤色ＬＥＤの昼間における主波長がＢであり、Ａ＞ａかつａ＞Ｂであることを特徴とする上記請求項１〜請求項３のいずれかに記載の表示装置。
【請求項５】
平面状に配設された異なる波長の光を出力する第１の赤色ＬＥＤおよび第２の赤色ＬＥＤによって表示を行う表示方法であって、
昼夜の切り替えを示す切替データを取得する切替データ取得工程と、
表示する内容を示す表示データを取得する表示データ取得工程と、
上記切替データに基づいて、上記第１の赤色ＬＥＤおよび第２の赤色ＬＥＤを点灯させる第１の状態と、上記第１の赤色ＬＥＤを点灯させる第２の状態とを切り替えるとともに、上記表示データに基づいて上記第１の赤色ＬＥＤおよび第２の赤色ＬＥＤを点灯させるＬＥＤ点灯工程とを具備することを特徴とする表示方法。
【請求項６】
平面状に配設された異なる波長の光を出力する第１の赤色ＬＥＤおよび第２の赤色ＬＥＤによって表示を行う表示装置を制御する表示制御プログラムであって、
昼夜の切り替えを示す切替データを取得する切替データ取得機能と、
表示する内容を示す表示データを取得する表示データ取得機能と、
上記切替データに基づいて、上記第１の赤色ＬＥＤおよび第２の赤色ＬＥＤを点灯させる第１の状態と、上記第１の赤色ＬＥＤを点灯させる第２の状態とを切り替えるとともに、上記表示データに基づいて上記第１の赤色ＬＥＤおよび第２の赤色ＬＥＤを点灯させるＬＥＤ点灯機能とをコンピュータに実現させることを特徴とする表示制御プログラム。
【発明の詳細な説明】
【技術分野】
【０００１】
本発明は、複数のＬＥＤを点灯して文字や図柄等を表示する表示装置、表示方法および表示制御プログラムに関する。
【背景技術】
【０００２】
従来、この種の表示装置としては、高速道路上や道路作業車の後部に設置して交通情報を表示する道路情報表示装置等が知られている。この種の表示装置では、赤色と黄緑色のＬＥＤ（発光ダイオード）を用いて文字や図柄を表示することが行われている。（例えば、非特許文献１。）。
【非特許文献１】２００４年名古屋電機工業株式会社発行の総合カタログ  ４０頁                          道路情報表示システム  ＢＬ１２形簡易情報板
【発明の開示】
【発明が解決しようとする課題】
【０００３】
上述した赤色ＬＥＤには主波長（ドミナント波長）が６４０nm近傍のものが使用されるが、現在市販されているInGaAlP系の赤色ＬＥＤの場合には、波長が長いと発光効率が低いために消費電力が格段に大きくなるといった問題があった。
一方、昼間時に夜間の約１０倍の発光輝度で点灯させるＬＥＤの消費電力を抑えるために波長の短い赤色ＬＥＤを採用した場合には、夜間においてその赤色の色相をより黄色がかった「黄色の表示」として誤認させるといった人の目の色覚上の特性による問題が発生した。
本発明は、上記課題にかんがみてなされたもので、昼間時における消費電力の抑制効果と夜間時における赤色ＬＥＤに対する誤認防止効果を兼ね備えた表示装置、表示方法および表示制御プログラムを記録した媒体の提供を目的とする。
【課題を解決するための手段】
【０００４】
上記の目的を達成するため、本発明は、表示装置において、異なる波長の光を出力する第１の赤色ＬＥＤおよび第２の赤色ＬＥＤを点灯可能に構成し、昼夜の切替を示す切替データによって双方の赤色ＬＥＤを点灯させる第１の状態と、一方のＬＥＤを点灯させる第２の状態とを切り替える。従って、昼と夜とでは異なる２つの状態で表示を行うことが可能になる。この結果、２つの状態での色の見え方を近づけることが可能になり、昼夜における色の見え方の変動を抑えることが可能になる。
【０００５】
ここで、表示装置は複数のＬＥＤを点灯させ、また、点灯させないことによって文字や図柄等を表示することができればよく、高速道路上や道路作業車の後部に設置して交通情報を表示する道路情報表示装置など、種々の表示装置に対して適用可能である。
【０００６】
表示手段においては、異なる波長の光を出力する第１の赤色ＬＥＤと第２の赤色ＬＥＤとを備えていればよく、かつ、その形状や個数などによって制約を受けるものではなく、これらによって第１の状態と第２の状態とを作り出すことができればよい。具体的には、１つの表示画素が第１の赤色ＬＥＤと第２の赤色ＬＥＤを複数収容した１つのＬＥＤランプによって構成されてもよい。
【０００７】
第１の赤色ＬＥＤと第２の赤色ＬＥＤは、その出力光の波長が異なっていればよい。従って、両者の差異は、その主波長（「色彩工学、第２版、太田登著、東京電機大学出版局」、７８頁参照。ドミナント波長）によって定義してもよいし、色度図上のｘ、ｙ座標によって定義してもよいし、主波長との関連を持ってピーク波長によって定義してもよく、種々の定義が可能である。いずれにしても、出力光の波長が異なることで、２つの赤色ＬＥＤを点灯させた状態と１つの赤色ＬＥＤを点灯させた状態との２つの状態を作り出すことができればよい。
【０００８】
切替データにおいては、昼夜の切り替えを示し、これによって第１の状態と第２の状態とを切り替えるタイミングを示すことができればよい。従って、明るさセンサを構成し、予め決められた明るさであるか否かによって昼夜を切り替える切替データを生成してもよいし、２つの状態を切り替えるべきタイミングをタイマによって把握して切替データを生成してもよく、種々の構成を採用可能である。
【０００９】
表示データにおいては、表示手段にて表示すべき文字や図柄の内容を示していればよく、種々の構成を採用可能である。例えば、複数のＬＥＤごとに点灯と非点灯とを示すデータや各ＬＥＤの点灯、非点灯とともにその輝度を示すデータ等を採用可能である。なお、本発明においては、昼夜における色の見え方の変動を抑えることを目的としているため、同じ表示データにて指示された表示内容について第１の状態と第２の状態との２つの状態で表示を行う。例えば、ある文字や図柄を示す表示データに基づいて第１の赤色ＬＥＤおよび第２の赤色ＬＥＤを点灯させてこれらの文字や図柄を表示する状態と、第１の赤色ＬＥＤを点灯させてこれらの文字や図柄を表示する状態とを切り替えて制御する。従って、同じ表示データであっても昼夜のそれぞれにおいて点灯されている赤色ＬＥＤは異なる。
【００１０】
ＬＥＤ点灯手段においては、赤色ＬＥＤの点灯を制御するにあたり、切替データに基づいて第１の状態と第２の状態とを切り替えることができればよい。従って、２つの赤色ＬＥＤの双方を点灯させる状態と１つを点灯させる状態とを切り替えるあらゆる回路によってＬＥＤ点灯手段を構成可能である。例えば、切替データに基づいてスイッチングトランジスタを駆動し、そのスイッチング動作によって状態を切り替える回路を採用可能である。
【００１１】
本発明においては、第１の状態と第２の状態とのいずれか一方を昼間、他方を夜間に実現すればよいが、より好ましい構成として、昼間に第１の状態、夜間に第２の状態とする構成を採用可能である。すなわち、昼間においては夜間に比べて周囲が明るいため、夜間より明るい輝度でＬＥＤを点灯する必要がある。そこで、昼間は、ある表示内容を表示するために２つの赤色ＬＥＤを点灯させる第１の状態とし、夜間は、同じ表示内容を表示するために１つの赤色ＬＥＤを点灯させる第２の状態とする。この結果、容易に昼夜それぞれに必要な輝度でＬＥＤを点灯させつつ、昼夜における色の見え方の変動を抑えることができる。
【００１２】
また、本発明において、第１の状態と第２の状態との双方は特定の色を表示するための状態である。すなわち、点灯している赤色ＬＥＤが異なる２つの状態が存在するが、各状態で表示しようとしている色は共通の色である。ただし、ここでは、２つの状態で特定の色を表示するため、各状態における分光分布が厳密に同じである必要はない。例えば、２つの状態の双方ともで視認者が同じ色相（赤色）と認識すればよい。
【００１３】
このためには、第１の状態と第２の状態とで色の見え方が略一致するようにＬＥＤを選択するが、このための好ましい構成として、上記第１の状態を昼間に観察した場合の色と上記第２の状態を夜間に観察した場合の色とが略同一となるようなＬＥＤで第１の赤色ＬＥＤと第２の赤色ＬＥＤとを構成してもよい。
【００１４】
すなわち、第１の赤色ＬＥＤと第２の赤色ＬＥＤとのそれぞれにおいて、昼夜の色の見え方が変動し、各ＬＥＤ単独で比較したときには、昼夜で色の見え方が異なるが、第１の状態を昼間に観察した場合の色と上記第２の状態を夜間に観察した場合の色とが略同一となるような赤色ＬＥＤで表示手段を構成すれば、昼夜のいずれにおいても特定の色（視認者が略同色相と認識する色）と認識されるように表示を行うことができる。
【００１５】
さらに、夜間における第１の赤色ＬＥＤの主波長と昼間における第２の赤色ＬＥＤの主波長との相対関係に基づいてＬＥＤを選択してもよい。すなわち、第１の赤色ＬＥＤにおいて、夜間の主波長がａ（nm）、昼間の主波長がＡ（nm）であり、第２の赤色ＬＥＤにおいて昼間の主波長がＢ（nm）であるとき、第１の状態では、主波長Ａ，Ｂの赤色ＬＥＤを重畳した状態の色が視認され、第２の状態では主波長ａの赤色ＬＥＤによる色が視認される。
【００１６】
従って、夜間における主波長ａから昼間における主波長Ａへの色相の変動を抑えるように昼間における主波長Ｂを重畳することができればよい。そこで、第１の赤色ＬＥＤにおけるＡ＞ａかつａ＞Ｂとすれば、主波長Ａと主波長Ｂの重畳結果が主波長Ａより低波長側となり、主波長ａに近づくように２つのＬＥＤを構成することができる。
【００１７】
なお、上記主波長を観察する際の条件は、実際に表示装置が設置される場所の一般的な環境条件を定義して設定すればよく、例えば、周囲の光を白色光とし、昼間の典型的な明るさと夜間の典型的な明るさによって昼夜を定義し、各条件におけるＬＥＤの主波長を定義すればよい。
【００１８】
また、２つの赤色ＬＥＤによって第１の状態及び第２の状態を生成し、切り替える装置は方法の発明として提供することも可能である。さらに、このような方法および装置は、上述の表示装置単独で実現される場合もあるし、ある機器に組み込まれた状態で利用されることもあるなど、発明の思想としては各種の態様を含むものであり、ソフトウェアであったりハードウェアであったりするなど、適宜、変更可能である。
【００１９】
発明の思想の具現化例として表示装置を制御するソフトウェアとなる場合には、当該ソフトウェアやソフトウェアの記録媒体としても発明は成立する。むろん、そのソフトウェアの記録媒体は、磁気記録媒体であってもよいし光磁気記録媒体であってもよいし、今後開発されるいかなる記録媒体においても全く同様に考えることができる。
【００２０】
また、一次複製品、二次複製品などの複製段階については全く問う余地無く同等である。その他、供給方法として通信回線を利用して行う場合でも本発明が利用されていることには変わりないし、半導体チップに書き込まれたようなものであっても同様である。さらに、一部がソフトウェアであって、一部がハードウェアで実現されている場合においても発明の思想において全く異なるものではなく、一部を記録媒体上に記録しておいて必要に応じて適宜読み込まれるような形態のものとしてあってもよい。
【発明を実施するための最良の形態】
【００２１】
ここでは、下記の順序に従って本発明の実施の形態について説明する。
（１）表示装置の構成：
（２）ＬＥＤ駆動回路：
【００２２】
（１）実施形態の構成：
図１は、本発明にかかる表示装置の表示面全体を示した図である。同図において、表示装置１０は、７２個の表示ユニットＵ1〜Ｕ72が６行１２列の行列上に配設されており、この７２個の表示ユニットＵ1〜Ｕ72を使用して、表示面に所定の道路情報（文字や図柄）が表示可能になっている。ここで、表示ユニットＵ1〜Ｕ72には、図２に示すとおり、１６行１６列の表示画素１１が行列上に配設されている。また、当該表示画素１１は、図２の拡大図Ａに示すように、第１の赤色ＬＥＤ（Ｒ１）および第２の赤色ＬＥＤ（Ｒ２）を備えている。
【００２３】
拡大図Ａは、表示画素１１を拡大して模式的に示した図である。本実施形態においては、赤色表示を２種類の赤色ＬＥＤ（砲弾型のランプ）で表示する。すなわち、拡大図Ａに示すように第１の赤色ＬＥＤ（Ｒ１）と第２の赤色ＬＥＤ（Ｒ２）とによって１つの表示画素が形成され、表示ユニットにマトリックス状に配置されている。なお、本実施形態において第１の赤色ＬＥＤの主波長は６３０nm（色度座標ｘ＝0.70792，ｙ＝0.29203）、第２の赤色ＬＥＤの主波長は６１３nm（色度座標ｘ＝0.67472，ｙ＝0.32509）である。
【００２４】
なお、上記の各主波長は赤色ＬＥＤの公称値λｄ（上記の主波長ＡおよびＢ）であって、昼間における見え方（色相）に相当する。また、本実施形態において、上記第１の赤色ＬＥＤと第２の赤色ＬＥＤとは、同じ観察条件で測定された場合の主波長が異なるが、人間の目に対しては略同色相の色として視認される。すなわち、双方とも赤色を表示するためのＬＥＤである。
【００２５】
本実施形態においては、第１の赤色ＬＥＤ（Ｒ１）および第２の赤色ＬＥＤ（Ｒ２）を個別もしくは同時に発光することによって上記道路表示を行うことになる。なお、本実施形態においては、表示装置１０を６行１２列の表示ユニットＵ1〜Ｕ72にて構成したが、むろん、この態様はこれに限定されるものではなく適宜変更可能である。また、表示ユニットＵ1〜Ｕ72を１６行１６列の表示画素１１にて構成したが、むろん、この態様に限定されるものではなく、例えば３２行３２列など適宜変更可能である。そして、表示画素１１に配設するＬＥＤの個数、形状および配設位置についても上述した態様に限定されるものではなく適宜変更可能である。
【００２６】
図３は、表示装置１０の主な内部構成を示すブロック図である。表示装置１０は表示内容の制御を行う制御部２０とＬＥＤを点灯させるためのＬＥＤ表示部３０と表示装置１０の周囲の照度を検出する照度計４０とを備えている。照度計４０は表示面の外枠に取り付けられている。
【００２７】
制御部２０は、ＣＰＵ２１と制御プログラムメモリ２２と表示データメモリ２３とＲＯＭ２４とＬＥＤ制御部２５とを備えている。制御プログラムメモリ２２は、表示対象を示す表示データを取得して出力するためのプログラムを記憶した記憶媒体であり、ＣＰＵ２１は表示データメモリ２３をワークエリアとして利用しながら当該制御プログラムを実行することができる。
【００２８】
ＲＯＭ２４には、表示対象を示す表示データ２４ａが記憶されている。表示データ２４ａは、表示装置１０の表示面上に表示させる道路情報の表示項目毎に点灯すべき表示画素１１を示すデータである。表示に際してはＣＰＵ２１の制御によって表示データ２４ａが表示データメモリ２３に保存される。さらにＣＰＵ２１は当該表示データメモリ２３に保存した表示データを所定タイミングのクロックに同期させてＬＥＤ制御部２５にシリアル転送する。ＬＥＤ制御部２５は当該シリアル転送される表示データによって点灯される画素の制御を行う。
【００２９】
また、ＬＥＤ制御部２５は、昼夜切替データを出力する昼夜切替データ出力部２５ａを備えている。この昼夜切替データ出力部２５ａに対しては、照度計４０の出力値が入力されるようになっており、当該昼夜切替データ出力部２５ａは当該照度計４０の出力値と予め決められた閾値とを比較することによって昼夜を判定する。そして、昼あるいは夜であることを示す昼夜切替データを出力し、同じ表示内容であっても、昼と夜とでＬＥＤの点灯状態を切り替える。
【００３０】
ＬＥＤ表示部３０は、上記表示ユニットＵ1〜Ｕ72とシフトレジスタ３１とＬＥＤ駆動回路３２とを備えている。シフトレジスタ３１は、図示しないクロックに同期してデジタルデータを次々と隣のレジスタに伝達する記憶装置であり、複数の表示画素１１のそれぞれに対応したレジスタが用意されている。当該シフトレジスタ３１は上記データ制御部２５ｂと接続されており、当該データ制御部２５ｂから出力される表示データを取得してレジスタに保持する。
【００３１】
また、ＬＥＤ駆動回路３２は、図示しないラッチ回路を備えており、上記シフトレジスタ３１にて取得した表示データを適切なタイミングでラッチし、各ＬＥＤの点灯／非点灯を確定する。また、ＬＥＤ駆動回路３２は、上記昼夜切替データを取得して昼と夜とで点灯させるＬＥＤを切り替える。すなわち、昼においては第１の赤色ＬＥＤと第２の赤色ＬＥＤとの双方を点灯させ、夜においては第１の赤色ＬＥＤのみを点灯させる。
【００３２】
（２）ＬＥＤ駆動回路：
図４は、ＬＥＤ駆動回路３２の要部回路を示す図である。同図において、第１の赤色ＬＥＤ（Ｒ１）と第２の赤色ＬＥＤ（Ｒ２）は、電源ＶとグラウンドＧＮＤとの間に接続されており、さらに、この回路には第２の赤色ＬＥＤの点灯と非点灯とを制御する第１のトランジスタ（Ｔｒ１）と第１および第２の赤色ＬＥＤの点灯と非点灯とを制御する第２のトランジスタ（Ｔｒ２）とが接続されている。また、第１の赤色ＬＥＤ（Ｒ１）と電源Ｖとの間には抵抗ｒが接続されており、第１のトランジスタ（Ｔｒ１）がオンになっている状態での電圧降下と抵抗ｒの電圧降下とが略等しくなるように構成されている。この結果、本実施形態においては、第１のトランジスタ（Ｔｒ１）がオンになっている状態で第１および第２の赤色ＬＥＤに印加される電圧が略等しくなる。
【００３３】
第２のトランジスタ（Ｔｒ２）のベース端子は、上記ラッチ回路に接続されている。従って、当該ベース端子のバイアスは表示データの内容によって制御される。本実施形態においては、表示データがＬＥＤの点灯を示しているときに第２のトランジスタ（Ｔｒ２）がオン、表示データがＬＥＤの非点灯を示しているときに第２のトランジスタ（Ｔｒ２）がオフとなる。なお、ＬＥＤが点灯しているとき、その明るさはＬＥＤの点灯時間によって制御可能である。例えば、第２のトランジスタ（Ｔｒ２）をオンにするための表示データにおいて、パルス幅を調整したり、オンにするための電圧を印加するタイミングを調整する構成等を採用可能である。また、第２のトランジスタ（Ｔｒ２）には図示しない回路により、ＬＥＤに供給される電流を一定にする定電流ドライバーとしての機能を備えている。
【００３４】
第１のトランジスタ（Ｔｒ１）のベース端子は、上記昼夜切替データ出力部２５ａに接続されている。従って、当該ベース端子のバイアスは昼夜切替データによって制御される。本実施形態においては、昼夜切替データが昼であることを示しているときに第１のトランジスタ（Ｔｒ１）がオン、昼夜切替データが夜であることを示しているときに第１のトランジスタ（Ｔｒ１）がオフとなる。
【００３５】
上記表示データによってＬＥＤの点灯が指示されているときには上記第２のトランジスタ（Ｔｒ２）がオンになり、第１の赤色ＬＥＤ（Ｒ１）および第２の赤色ＬＥＤ（Ｒ２）の一方端は、接地レベルと略同等になる。従って、第１の赤色ＬＥＤ（Ｒ１）および第２の赤色ＬＥＤ（Ｒ２）における他方端の電圧レベルに依存して双方とも点灯可能な状態となる。但し、第２の赤色ＬＥＤ（Ｒ２）に対しては上述のように第１のトランジスタ（Ｔｒ１）が接続されているため、第２の赤色ＬＥＤ（Ｒ２）の点灯あるいは非点灯は昼夜切替データに依存する。
【００３６】
すなわち、第２のトランジスタ（Ｔｒ２）がオン、かつ第１のトランジスタ（Ｔｒ１）がオンである昼間には、第１の赤色ＬＥＤ（Ｒ１）および第２の赤色ＬＥＤ（Ｒ２）の双方が点灯する第１の状態となる。また、第２のトランジスタ（Ｔｒ２）がオン、かつ第１のトランジスタ（Ｔｒ１）がオフである夜間には、第１の赤色ＬＥＤ（Ｒ１）が点灯する第２の状態となる。
【００３７】
なお、上記の実施形態に示す第２の赤色ＬＥＤ（Ｒ２：主波長Ｂ＝６１３nm）の場合には、昼間時に第１の赤色ＬＥＤ（Ｒ１：主波長Ａ＝６３０nm）と同時に点灯することにより赤色として知覚されることが検証された。一方、昼間時に主波長Ａ＝６３０nmのＬＥＤは夜間に主波長ａ＜６３０nmの色として知覚されるが、波長が短波長側にシフトしても昼間と同様にはっきりとした赤色と知覚されることが確認された。
【００３８】
また、図５に示すような特性を有する市販の高輝度四元素発光材料InGaAlPからなるＬＥＤを第１の赤色ＬＥＤ（Ｒ１）および第２の赤色ＬＥＤ（Ｒ２）とした場合、第１の赤色ＬＥＤのみを使用する場合と比較して、昼間における消費電力を抑えることができる。すなわち、従来の表示装置においては、くっきりとした赤色で表示を行うため、第２の赤色ＬＥＤ（Ｒ２）ではなく、第１の赤色ＬＥＤ（Ｒ１）のみで赤色表示を行っていた。
【００３９】
しかし、第１の赤色ＬＥＤ（Ｒ１）および第２の赤色ＬＥＤ（Ｒ２）で表示を行うと、くっきりとした赤色であることを大きく損なうことなく消費電力を抑えることができる。すなわち、昼間において、第１の赤色ＬＥＤ（Ｒ１）のみをＮ個点灯させた場合の光度と第１の赤色ＬＥＤ（Ｒ１）および第２の赤色ＬＥＤ（Ｒ２）を計Ｎ個（各Ｎ／２個）点灯させた場合とを比較すると、同じ光度を得るために後者の方が消費電力を抑えることができる。
【００４０】
具体的には、第１の赤色ＬＥＤ（Ｒ１）のみをＮ個点灯させた場合の光度は８００Ｎ（mcd）、第１の赤色ＬＥＤ（Ｒ１）および第２の赤色ＬＥＤ（Ｒ２）を計Ｎ個点灯させた場合の光度は１１５０Ｎ（mcd）である。図５に示すＬＥＤにおいて、この光度を得るために必要な各ＬＥＤの順電流は各ＬＥＤとも２０mAである。従って、第１の赤色ＬＥＤ（Ｒ１）のみを点灯させて、１１５０Ｎ（mcd）を得ようとすれば、順電流を２０mAより大きくする必要がある。従って、本発明のように昼間において第１の赤色ＬＥＤ（Ｒ１）と、より波長の短い第２の赤色ＬＥＤ（Ｒ２）とをともに点灯させることによって、少ない消費電力で高輝度の表示を行うことができる。表示装置においては、一般に多数のＬＥＤを備え付けるため、ＬＥＤ一つあたりの消費電力の向上がわずかであったとしても、全体において消費電力を抑える効果は非常に大きい。
【００４１】
以上の実施形態は、本発明を実施するための一例であり、ＬＥＤを２個点灯させる第１の状態とＬＥＤを１個点灯させる第２の状態とを、昼夜によって切り替えられる限りにおいて種々の構成を採用可能である。例えば、ＬＥＤ駆動回路３２の要部は上記図４に示す回路に限られず、図６に示す回路を採用してもよい。同図６においては、第１の赤色ＬＥＤ（Ｒ１）と第２の赤色ＬＥＤ（Ｒ２）は、電源ＶとグラウンドＧＮＤとの間に接続されており、さらに、この回路にも第２の赤色ＬＥＤの点灯と非点灯とを制御する第１のトランジスタ（Ｔｒ１）と第１および第２の赤色ＬＥＤの点灯と非点灯とを制御する第２のトランジスタ（Ｔｒ２）とが接続されている。
【００４２】
すなわち、図６に示す実施形態においては、表示データがＬＥＤの点灯を示しているときに第２のトランジスタ（Ｔｒ２）がオン、表示データがＬＥＤの非点灯を示しているときに第２のトランジスタ（Ｔｒ２）がオフとなる。また、昼夜切替データが昼であることを示しているときに第１のトランジスタ（Ｔｒ１）がオフ、昼夜切替データが夜であることを示しているときに第１のトランジスタ（Ｔｒ１）がオンとなる。
【００４３】
従って、上記表示データによってＬＥＤの点灯が指示されているとき、第１のトランジスタ（Ｔｒ１）がオフである昼間には、第１の赤色ＬＥＤ（Ｒ１）および第２の赤色ＬＥＤ（Ｒ２）の双方が点灯する第１の状態となる。また、上記表示データによってＬＥＤの点灯が指示されているとき、第１のトランジスタ（Ｔｒ１）がオンである夜間には、第１の赤色ＬＥＤ（Ｒ１）が点灯し、第２の赤色ＬＥＤ（Ｒ２）が消灯する第２の状態となる。
【００４４】
むろん、以上の表示装置によって表示すべき文字や図柄は限定されず、任意の表示対象に対して適用することができる。さらに、赤色ＬＥＤと他の色のＬＥＤとを組み合わせることによって、種々の色を表示する表示装置に対して本発明を適用してもよい。
【図面の簡単な説明】
【００４５】
【図１】表示装置の表示面を示す図である。
【図２】表示ユニットを示す図である。
【図３】表示装置の主な内部構成を示すブロック図である。
【図４】ＬＥＤ駆動回路の要部回路を示す図である。
【図５】赤色ＬＥＤの仕様の例を示す図である。
【図６】他の例にかかるＬＥＤ駆動回路の要部回路を示す図である。
【符号の説明】
【００４６】
１０…表示装置
１１…表示画素
２０…制御部
２１…ＣＰＵ
２２…制御プログラムメモリ
２３…表示データメモリ
２４ａ…表示データ
２５…ＬＥＤ制御部
２５ａ…昼夜切替データ出力部
２５ｂ…データ制御部
３０…ＬＥＤ表示部
３１…シフトレジスタ
３２…ＬＥＤ駆動回路
４０…照度計
Ｕ1-Ｕ72…表示ユニット
【図１】
2007010867.tif 000003
【図２】
2007010867.tif 000004
【図３】
2007010867.tif 000005
【図４】
2007010867.tif 000006
【図５】
2007010867.tif 000007
【図６】
2007010867.tif 000008